(57)【要約】【課題】回転機械のメンテナンス作業時に、他のスペースを圧迫することなく、かつ、容易に回転機械の上方を開閉することができる回転機械用エンクロージャを提供する。【解決手段】エンクロージャ１０Ａは、ガスタービン１の軸方向に沿った一方の側方を覆う第一壁部１１と、ガスタービン１を挟んで第一壁部１１と対向し、ガスタービン１の軸方向に沿った他方の側方を覆う第二壁部１２と、第一壁部１１及び第二壁部１２に接続され、ガスタービン１の上方を覆う天井部１３と、第一壁部１１、第二壁部１２及び天井部１３の接続の一部を解除及び再接続可能な接続解除部と、接続解除部で上記接続の一部が解除された天井部１３を、ガスタービン１に対して回動させる基点となる回動基点部１５１、１５２と、を備える。【選択図】図２
2019015187.tif 000002
【特許請求の範囲】
【請求項１】
回転機械の軸方向に沿った一方の側方を覆う第一壁部と、
前記回転機械を挟んで前記第一壁部と対向し、前記回転機械の前記軸方向に沿った他方の側方を覆う第二壁部と、
前記第一壁部及び前記第二壁部に接続され、前記回転機械の上方を覆う天井部と、
前記第一壁部、前記第二壁部及び前記天井部の接続の一部を解除及び再接続可能な接続解除部と、
前記接続解除部で前記接続の一部が解除された前記天井部を、前記回転機械に対して回動させる基点となる回動基点部と、
を備えることを特徴とする回転機械用エンクロージャ。
【請求項２】
前記第一壁部及び前記第二壁部は、下側壁部と、前記下側壁部に回動自在に接続された上側壁部とを有し、
前記天井部は、前記第一壁部の前記上側壁部に接続された第一天井部と、前記第二壁部の前記上側壁部に接続された第二天井部とを有し、
前記第一天井部と前記第二天井部とは、着脱自在に接続され、
前記接続解除部は、前記第一天井部と前記第二天井部との接続部であり、
前記回動基点部は、前記下側壁部と前記上側壁部との接続部である、
ことを特徴とする請求項１に記載の回転機械用エンクロージャ。
【請求項３】
前記第二壁部は、下側壁部と、前記下側壁部に回動自在に接続された上側壁部とを有し、
前記天井部は、前記第一壁部に着脱自在に接続されると共に、前記第二壁部の前記上側壁部に接続され、
前記接続解除部は、前記第一壁部と前記天井部との接続部であり、
前記回動基点部は、前記第二壁部の前記下側壁部と前記第二壁部の前記上側壁部との接続部である、
ことを特徴とする請求項１に記載の回転機械用エンクロージャ。
【請求項４】
前記天井部は、前記第一壁部に着脱自在に接続された第一天井部と、前記第二壁部の前記上側壁部に接続された第二天井部とを有し、
前記第一天井部と前記第二天井部とは、回動自在に接続される、
ことを特徴とする請求項３に記載の回転機械用エンクロージャ。
【請求項５】
前記上側壁部は、前記回動基点部を基点として水平方向に沿った位置まで回動することを特徴とする請求項２から請求項４のいずれか一項に記載の回転機械用エンクロージャ。
【請求項６】
前記第一壁部及び前記第二壁部の前記回転機械とは反対側の側方の少なくともいずれか一方は、複数の外部配管が配置された外部配管領域であり、
前記回動基点部は、前記外部配管領域よりも鉛直方向上側に設けられる、
ことを特徴とする請求項１から請求項５のいずれか一項に記載の回転機械用エンクロージャ。
【請求項７】
前記複数の外部配管は、第一の柱部により支持されており、
前記第一の柱部は、前記回動基点部を基点として回動する部材を支持する、
ことを特徴とする請求項６に記載の回転機械用エンクロージャ。
【請求項８】
前記第一天井部と前記第二天井部との接続部には、封止部材が設けられることを特徴とする請求項２または請求項４に記載の回転機械用エンクロージャ。
【請求項９】
前記第一壁部及び前記第二壁部の前記回転機械側の側方は、複数の内部配管が配置された内部配管領域であり、
前記複数の内部配管は、第二の柱部により支持されており、
前記第二の柱部は、前記回動基点部を基点として回動する部材を支持する、
ことを特徴とする請求項１から請求項８のいずれか一項に記載の回転機械用エンクロージャ。
【請求項１０】
回転機械の軸方向に沿った一方の側方を覆う第一壁部と、前記回転機械を挟んで前記第一壁部と対向し、前記回転機械の前記軸方向に沿った他方の側方を覆う第二壁部と、前記第一壁部及び前記第二壁部に接続され、前記回転機械の上方を覆う天井部と、を備えた回転機械用エンクロージャの開閉方法であって、
前記第一壁部、前記第二壁部及び前記天井部の接続の一部を解除及び再接続可能な接続解除部で、前記接続の一部を解除する接続解除ステップと、
前記接続解除ステップで前記接続の一部が解除された前記天井部を、前記回転機械に対して回動させる基点となる回動基点部で、前記回転機械から離れる方向に回動させて、前記回転機械の上方を開放する開放ステップと、
を備えることを特徴とする回転機械用エンクロージャの開閉方法。
【請求項１１】
前記開放ステップの後、前記天井部を、前記回動基点部で前記回転機械に近づく方向に回動させて、前記回転機械の上方を閉鎖する閉鎖ステップと、
前記閉鎖ステップの後、前記接続解除部で前記接続の一部を再接続させる再接続ステップと、
を備えることを特徴とする請求項１０に記載の回転機械用エンクロージャの開閉方法。
【発明の詳細な説明】
【技術分野】
【０００１】
本発明は、回転機械用エンクロージャ及び回転機械用エンクロージャの開閉方法に関する。
【背景技術】
【０００２】
従来、タービン等の回転機械の周囲を覆い、回転機械の防音設備として機能するエンクロージャに関する技術が知られている。例えば、特許文献１には、側壁と、側壁の上端部に着脱自在に装着される屋根とで、前後方向に長い機器類を包囲するエンクロージャ（外衣構造）が開示されている。このエンクロージャは、屋根を側壁に着脱自在に装着することで、機器のメンテナンス作業時に屋根を取り外して機器の上方を開放する。
【先行技術文献】
【特許文献】
【０００３】
【特許文献１】特開２０００−２７４２６０号公報
【発明の概要】
【発明が解決しようとする課題】
【０００４】
しかしながら、上記特許文献１に記載のエンクロージャは、機器のメンテナンス時に取り外した屋根を仮置きしておくスペースが必要となり、設備全体の作業スペースを圧迫する。また、エンクロージャは、鋼板といった比較的重い材料で形成されることから、屋根の取り外し作業、仮置きスペースとの間での移動、再度の取り付け作業に手間を要してしまう。
【０００５】
本発明は、上記に鑑みてなされたものであって、回転機械のメンテナンス作業時に、他のスペースを圧迫することなく、かつ、容易に回転機械の上方を開閉することができる回転機械用エンクロージャを提供することを目的とする。
【課題を解決するための手段】
【０００６】
上述した課題を解決し、目的を達成するために、本発明にかかる回転機械用エンクロージャは、回転機械の軸方向に沿った一方の側方を覆う第一壁部と、前記回転機械を挟んで前記第一壁部と対向し、前記回転機械の前記軸方向に沿った他方の側方を覆う第二壁部と、前記第一壁部及び前記第二壁部に接続され、前記回転機械の上方を覆う天井部と、前記第一壁部、前記第二壁部及び前記天井部の接続の一部を解除及び再接続可能な接続解除部と、前記接続解除部で前記接続の一部が解除された前記天井部を、前記回転機械に対して回動させる基点となる回動基点部と、を備えることを特徴とする。
【０００７】
この構成によれば、回転機械のメンテナンス作業時に、接続解除部で第一壁部、第二壁部及び天井部の接続の一部を解除し、回動基点部で天井部を回転機械から離れる方向に回動させることで、天井部を第一壁部及び第二壁部から完全に切り離すことなく、回転機械の上方から移動させることができる。また、回転機械のメンテナンス作業の終了後、回動基点部で天井部を回転機械に近づく方向に回動させ、接続解除部で解除されていた第一壁部、第二壁部及び天井部の接続の一部を再接続し、エンクロージャにより回転機械の周囲を覆うことができる。従って、本発明にかかる回転機械用エンクロージャは、回転機械のメンテナンス作業時に、他のスペースを圧迫することなく、かつ、容易に回転機械の上方を開閉することができる。
【０００８】
また、前記第一壁部及び前記第二壁部は、下側壁部と、前記下側壁部に回動自在に接続された上側壁部とを有し、前記天井部は、前記第一壁部の前記上側壁部に接続された第一天井部と、前記第二壁部の前記上側壁部に接続された第二天井部とを有し、前記第一天井部と前記第二天井部とは、着脱自在に接続され、前記接続解除部は、前記第一天井部と前記第二天井部との接続部であり、前記回動基点部は、前記下側壁部と前記上側壁部との接続部である、ことが好ましい。
【０００９】
この構成によれば、第一天井部と第二天井部とを分離させることで、第一天井部と第二壁部との接続及び第二天井部と第一壁部との接続を解除することができる。また、第一天井部と第二天井部とが分離した状態で、第一壁部の上側壁部を下側壁部に対して回動させることで、第一天井部を第一壁部の上側壁部と共に回転機械から離れる方向に回動させることができる。また、第二壁部の上側壁部を下側壁部に対して回動させることで、第二天井部を第二壁部の上側壁部と共に回転機械から離れる方向に回動させることができる。その結果、第一天井部を第一壁部から、第二天井部を第二壁部から切り離すことなく、回転機械の上方から移動させることができる。
【００１０】
また、前記第二壁部は、下側壁部と、前記下側壁部に回動自在に接続された上側壁部とを有し、前記天井部は、前記第一壁部に着脱自在に接続されると共に、前記第二壁部の前記上側壁部に接続され、前記接続解除部は、前記第一壁部と前記天井部との接続部であり、前記回動基点部は、前記第二壁部の前記下側壁部と前記第二壁部の前記上側壁部との接続部である、ことが好ましい。
【００１１】
この構成によれば、天井部と第一壁部との接続を解除し、第二壁部の上側壁部を下側壁部に対して回動させることで、天井部を第二壁部の上側壁部と共に回転機械から離れる方向に回動させることができる。その結果、天井部を第二壁部から切り離すことなく、回転機械の上方から移動させることができる。また、天井部を第二壁部側だけで回動させることにより、第一壁部の側方に他の設備がある場合、天井部と他の設備とが干渉することを防止することができる。
【００１２】
また、前記天井部は、前記第一壁部に着脱自在に接続された第一天井部と、前記第二壁部の前記上側壁部に接続された第二天井部とを有し、前記第一天井部と前記第二天井部とは、回動自在に接続される、ことが好ましい。
【００１３】
この構成によれば、第一天井部と第二天井部とを互いに回動させることによって、天井部全体を折りたたむことができる。その結果、上側壁部と共に回動する天井部の長さを短縮し、天井部が他の設備と干渉することを抑制することができる。また、回動する部材全体の重量バランスを整えることができる。
【００１４】
また、前記上側壁部は、前記回動基点部を基点として水平方向に沿った位置まで回動することが好ましい。
【００１５】
この構成によれば、回動基点部を基点として回動した上側壁部を、作業者が回転機械のメンテナンス作業時に歩行可能な歩廊として用いることができる。従って、回転機械の周囲に歩廊を別に設ける必要がなくなり、設備の簡易化を図ることができる。また、回転機械の周囲に歩廊を設けないことにより、エンクロージャの小型化を図ることができる。
【００１６】
また、前記第一壁部及び前記第二壁部の前記回転機械とは反対側の側方の少なくともいずれか一方は、複数の外部配管が配置された外部配管領域であり、前記回動基点部は、前記外部配管領域よりも鉛直方向上側に設けられる、ことが好ましい。
【００１７】
この構成によれば、回動基点部を基点として回動する部材が、外部配管と干渉することを抑制することができる。
【００１８】
また、前記複数の外部配管は、第一の柱部により支持されており、前記第一の柱部は、前記回動基点部を基点として回動する部材を支持する、ことが好ましい。
【００１９】
この構成によれば、回動基点部を基点として回動する部材を、第一の柱部によって安定的に支持することができる。また、複数の外部配管を支持する第一の柱部を支持部材として兼用することで、部品点数の増加を抑制することができる。
【００２０】
また、前記第一天井部と前記第二天井部との接続部には、封止部材が設けられることが好ましい。
【００２１】
この構成によれば、第一天井部と第二天井部との接続部を介して、エンクロージャの内部に水滴、塵等が侵入することを抑制することができる。また、エンクロージャの内部で使用される気体等が外部に漏れだすことを抑制することができる。
【００２２】
また、前記第一壁部及び前記第二壁部の前記回転機械側の側方は、複数の内部配管が配置された内部配管領域であり、前記複数の内部配管は、第二の柱部により支持されており、前記第二の柱部は、前記回動基点部を基点として回動する部材を支持する、ことが好ましい。
【００２３】
この構成によれば、回動基点部を基点として回動する部材を、第二の柱部によって安定的に支持することができる。また、内部配管を支持する第二の柱部を支持部材として兼用することで、部品点数の増加を抑制することができる。
【００２４】
上述した課題を解決し、目的を達成するために、本発明にかかる回転機械用エンクロージャの開閉方法は、回転機械の軸方向に沿った一方の側方を覆う第一壁部と、前記回転機械を挟んで前記第一壁部と対向し、前記回転機械の前記軸方向に沿った他方の側方を覆う第二壁部と、前記第一壁部及び前記第二壁部に接続され、前記回転機械の上方を覆う天井部と、を備えた回転機械用エンクロージャの開閉方法であって、前記第一壁部、前記第二壁部及び前記天井部の接続の一部を解除及び再接続可能な接続解除部で、前記接続の一部を解除する接続解除ステップと、前記接続解除ステップで前記接続の一部が解除された前記天井部を、前記回転機械に対して回動させる基点となる回動基点部で、前記回転機械から離れる方向に回動させて、前記回転機械の上方を開放する開放ステップと、を備えることを特徴とする。
【００２５】
この構成によれば、接続解除ステップで第一壁部、第二壁部及び天井部の接続の一部を解除し、開放ステップで天井部を回転機械から離れる方向に回動させることで、天井部を第一壁部及び第二壁部から完全に切り離すことなく、回転機械の上方から移動させることができる。従って、本発明にかかる回転機械用エンクロージャの開閉方法は、回転機械のメンテナンス作業時に、他のスペースを圧迫することなく、かつ、容易に回転機械の上方を開閉することができる。
【００２６】
また、前記開放ステップの後、前記天井部を、前記回動基点部で前記回転機械に近づく方向に回動させて、前記回転機械の上方を閉鎖する閉鎖ステップと、前記閉鎖ステップの後、前記接続解除部で前記接続の一部を再接続させる再接続ステップと、を備えることが好ましい。
【００２７】
この構成によれば、回転機械のメンテナンス作業の終了後、回動基点部で天井部を回転機械に近づく方向に回動させ、接続解除部で解除されていた第一壁部、第二壁部及び天井部の接続の一部を再接続し、エンクロージャにより回転機械の周囲を覆うことができる。
【発明の効果】
【００２８】
本発明にかかる回転機械用エンクロージャ及び回転機械用エンクロージャの開閉方法は、回転機械のメンテナンス作業時に、他のスペースを圧迫することなく、かつ、容易に回転機械の上方を開閉することができるという効果を奏する。
【図面の簡単な説明】
【００２９】
【図１】図１は、第一実施形態にかかる回転機械用エンクロージャを示す概略図である。
【図２】図２は、第一実施形態にかかる回転機械用エンクロージャの天井部を開放した状態を示す概略図である。
【図３】図３は、第一実施形態にかかる回転機械用エンクロージャの天井部を開放した状態を示す平面図である。
【図４】図４は、第二実施形態にかかる回転機械用エンクロージャを示す概略図である。
【図５】図５は、第二実施形態にかかる回転機械用エンクロージャの天井部を開放する様子を示す概略図である。
【図６】図６は、第二実施形態にかかる回転機械用エンクロージャの天井部を開放した状態を示す概略図である。
【図７】図７は、第三実施形態にかかる回転機械用エンクロージャを示す概略図である。
【図８】図８は、第三実施形態にかかる回転機械用エンクロージャの天井部を開放した状態を示す概略図である。
【図９】図９は、第四実施形態にかかる回転機械用エンクロージャを示す概略図である。
【図１０】図１０は、第四実施形態にかかる回転機械用エンクロージャの天井部を開放する様子を示す概略図である。
【図１１】図１１は、第四実施形態にかかる回転機械用エンクロージャの天井部を開放した状態を示す概略図である。
【発明を実施するための形態】
【００３０】
以下に、本発明にかかる回転機械用エンクロージャの実施形態を図面に基づいて詳細に説明する。なお、この実施形態によりこの発明が限定されるものではない。
【００３１】
[第一実施形態]
図１は、第一実施形態にかかる回転機械用エンクロージャを示す概略図であり、図２は、第一実施形態にかかる回転機械用エンクロージャの天井部を開放した状態を示す概略図であり、図３は、第一実施形態にかかる回転機械用エンクロージャの天井部を開放した状態を示す平面図である。
【００３２】
本実施形態において、図１から図３に示す回転機械用エンクロージャ１０Ａ（以下、「エンクロージャ１０Ａ」と称する。）は、回転機械としてのガスタービン１を覆う外衣設備である。ガスタービン１は、圧縮機、燃焼器及びタービン等を備える。ガスタービン１は、図示しない基台を介して基部２に着脱自在に固定されている。エンクロージャ１０Ａは、ガスタービン１の吸排気、圧縮、燃焼、回転といった種々の動作で発生する騒音が拡散することを防止する防音設備である。また、エンクロージャ１０Ａは、ガスタービン１で発生する熱が外部へと拡散することを防止する。
【００３３】
エンクロージャ１０Ａは、図１から図３に示すように、第一壁部１１と、第二壁部１２と、天井部１３とを備える。
【００３４】
第一壁部１１は、ガスタービン１の軸方向に沿った一方の側方を覆う。第一壁部１１は、ガスタービン１が固定される基部２に図示しない締結具によって固定される。第一壁部１１は、下側壁部１１１と、上側壁部１１２と、ヒンジ１１３とを有する。下側壁部１１１及び上側壁部１１２は、例えば、鋼板と、鋼板を補強するフレームとを有する。
【００３５】
下側壁部１１１は、基部２から鉛直方向上側に延びる。上側壁部１１２は、下側壁部１１１から鉛直方向上側に延びる。上側壁部１１２は、図２に示すように、ヒンジ１１３によって、下側壁部１１１の上端部に回動自在に接続されている。ヒンジ１１３は、図３に示すように、ガスタービン１の軸方向（図中左右方向）において互いに間隔を空けつつ、水平方向において並んで複数設けられている。ヒンジ１１３は、強度を保つことさえできれば、少なくとも一つ設けられればよい。本実施形態において、下側壁部１１１と上側壁部１１２との接続部であるヒンジ１１３は、後述する接続解除部１４で接続が解除された天井部１３を、ガスタービン１に対して回動させる基点となる回動基点部１５１である。上側壁部１１２は、図２に示す天井部１３の開放時において、ヒンジ１１３によって水平方向に沿った位置で固定される。つまり、上側壁部１１２は、回動基点部１５１を基点として水平方向に沿った位置まで回動する。それにより、上側壁部１１２は、ガスタービン１のメンテナンス作業において作業員が足場として利用可能な歩廊の一部となる。
【００３６】
第二壁部１２は、ガスタービン１を挟んで第一壁部１１と対向して配置される。第二壁部１２は、ガスタービン１の軸方向に沿った他方の側方を覆う。第二壁部１２は、ガスタービン１が固定される基部２に図示しない締結具によって固定される。第二壁部１２は、下側壁部１２１と、上側壁部１２２と、ヒンジ１２３とを有する。下側壁部１２１及び上側壁部１２２は、例えば、鋼板と、鋼板を補強するフレームとを有する。
【００３７】
下側壁部１２１は、基部２から鉛直方向上側に延びる。上側壁部１２２は、下側壁部１２１から鉛直方向上側に延びる。上側壁部１２２は、図２に示すように、ヒンジ１２３によって、下側壁部１２１の上端部に回動自在に接続されている。ヒンジ１２３は、図３に示すように、第二壁部１２の長手方向（ガスタービン１の軸方向）に沿って、互いに間隔を空けて複数設けられている。ヒンジ１２３は、強度を保つことさえできれば、少なくとも一つ設けられればよい。本実施形態において、下側壁部１２１と上側壁部１２２との接続部であるヒンジ１２３は、後述する接続解除部１４で接続が解除された天井部１３を、ガスタービン１に対して回動させる基点となる回動基点部１５２である。上側壁部１２２は、図２に示す天井部１３の開放時において、ヒンジ１２３によって水平方向に沿った位置で固定される。つまり、上側壁部１２２は、回動基点部１５２を基点として水平方向に沿った位置まで回動する。それにより、上側壁部１２２は、ガスタービン１のメンテナンス作業において作業員が足場として利用可能な歩廊の一部となる。なお、図３に示すように、エンクロージャ１０Ａの周囲には、作業員が利用する歩廊８が形成されている。歩廊８は、水平方向に沿った位置で固定された上側壁部１１２及び上側壁部１２２と同じ高さに設けられている。
【００３８】
天井部１３は、ガスタービン１の上方を覆う。天井部１３は、第一壁部１１及び第二壁部１２に接続されている。天井部１３は、第一天井部１３１と、第二天井部１３２とを有する。第一天井部１３１及び第二天井部１３２は、例えば、鋼板と、鋼板を補強するフレームとを有する。第一天井部１３１は、一端部１３１ａで第一壁部１１の上側壁部１１２の上端部に接続されている。第二天井部１３２は、一端部１３２ａで第二壁部１２の上側壁部１２２の上端部に接続されている。
【００３９】
第一天井部１３１と第二天井部１３２とは、図１に示す天井部１３の閉鎖時において、互いの他端部１３１ｂ、１３２ｂで着脱自在に接続されている。第一天井部１３１及び第二天井部１３２は、他端部１３１ｂ、１３２ｂに例えば図示しない複数のフランジ部が設けられ、互いのフランジ部がボルト及びナットといった複数の締結部を用いて締結される。それにより、第一天井部１３１と第二天井部１３２とは、図２に示す天井部１３の開放時において、互いの他端部１３１ｂ、１３２ｂで切り離して分離可能となっている。本実施形態において、第一天井部１３１と第二天井部１３２との接続部は、第一壁部１１、第二壁部１２及び天井部１３の接続の一部を解除可能な接続解除部１４である。
【００４０】
第一天井部１３１と第二天井部１３２との接続部には、図１に示す天井部１３の閉鎖時において、ガスタービン１と反対側の外周面を塞ぐ封止部材１６が設けられている。封止部材１６は、例えばコーキング材である。封止部材１６は、天井部１３を開放させる際に、第一天井部１３１及び第二天井部１３２の接続部から除去可能なものである。封止部材１６は、天井部１３の閉鎖時において、水滴、塵等がエンクロージャ１０Ａの内部に進入することを抑制する。また、封止部材１６は、後述する消火装置６が作動した際に、消火装置６のノズル６ａからガスタービン１に向けて噴射される炭酸ガスといった消火用ガスがエンクロージャ１０Ａから漏れ出すことを抑制する。さらに、封止部材１６は、ガスタービン１の騒音がエンクロージャ１０Ａの外部に拡散することを抑制する。なお、封止部材１６は、第一天井部１３１と第二天井部１３２との分離を阻害しないものであれば、互いに当接する第一天井部１３１の他端部１３１ｂと第二天井部１３２の他端部１３２ｂとの間に設けられてもよい。また、第一天井部１３１と第二天井部１３２とは、他端部１３１ｂ、１３２ｂにおいて、互いに鉛直方向上下に重なりあう部分を有してもよい。それにより、天井部１３の閉鎖時において、上述した封止部材１６による効果を、より高めることができる。
【００４１】
また、エンクロージャ１０Ａの第一壁部１１及び第二壁部１２のガスタービン１とは反対側の側方は、複数の外部配管が配置される外部配管領域３である。外部配管領域３の近傍には、複数の第一の柱部４が配置されている。各第一の柱部４は、外部配管領域３に含まれる複数の外部配管を支持する支持部材である。回動基点部１５１（ヒンジ１１３）及び回動基点部１５２（ヒンジ１２３）は、図１に示すように、外部配管領域３よりも鉛直方向上側に設けられる。また、各第一の柱部４は、図２に示すように、天井部１３の開放時において、上側壁部１１２、１２２に当接し、上側壁部１１２、１２２を支持する支持部材としても機能する。
【００４２】
また、エンクロージャ１０Ａの第一壁部１１及び第二壁部１２のガスタービン１側の側方は、複数の内部配管が配置された内部配管領域５（図３参照）である。複数の内部配管は、例えば、エンクロージャ１０Ａの内部に設けられた消火装置６のノズル６ａに消火用の炭酸ガスを供給するための配管である。複数の内部配管は、複数の第二の柱部７により支持されている。各第二の柱部７は、図１に示すように、基部２から第一天井部１３１または第二天井部１３２に当接可能な位置まで延びる。それにより、各第二の柱部７は、図１に示すように、天井部１３の閉鎖時において、第一天井部１３１及び第二天井部１３２を支持する支持部材としても機能する。
【００４３】
次に、ガスタービン１のメンテナンス作業時に、第一実施形態にかかるエンクロージャ１０Ａの天井部１３を開閉する手順について説明する。天井部１３の開放時には、接続解除部１４で、第一壁部１１、第二壁部１２及び天井部１３の接続の一部が解除される（接続解除ステップ）。本実施形態では、まず、第一天井部１３１と第二天井部１３２との接続部に設けられた封止部材１６が除去される。次に、接続解除部１４で、第一天井部１３１と第二天井部１３２との接続が解除される。
【００４４】
次に、図２に示すように、接続解除部１４で上記接続の一部が解除された天井部１３が、回動基点部１５１、１５２でガスタービン１から離れる方向に回動され、ガスタービン１の上方が開放される（開放ステップ）。本実施形態では、回動基点部１５１すなわちヒンジ１１３で、上側壁部１１２がガスタービン１から離れる方向に回動される。また、本実施形態では、回動基点部１５２すなわちヒンジ１２３で、上側壁部１２２がガスタービン１から離れる方向に回動される。これにより、図２に実線矢印で示すように、上側壁部１１２と共に第一天井部１３１がガスタービン１から離れる方向に回動され、上側壁部１２２と共に第二天井部１３２がガスタービン１から離れる方向に回動される。その結果、図２及び図３に示すように、ガスタービン１の上方が開放される。
【００４５】
上述したように、上側壁部１１２は、図２に示すように、ヒンジ１１３によって水平方向に沿った位置で固定される。また、上側壁部１２２は、図２に示すように、ヒンジ１２３によって水平方向に沿った位置で固定される。上側壁部１１２、１２２は、水平方向に沿った位置で固定された状態において、外部配管領域３の近傍に設けられた各第一の柱部４の上端部に当接し、各第一の柱部４により支持される。上側壁部１１２、１２２は、ガスタービン１のメンテナンス作業において作業員が足場として利用可能な歩廊の一部となる。
【００４６】
その後、作業員によりガスタービン１のメンテナンス作業が実施される。より詳細には、圧縮機、燃焼器、タービンロータといったガスタービン１の各部位を収容するケーシングが取り外され、図示しないクレーンによって他のスペースへと搬送される。また、ケーシングが取り外されたガスタービン１からタービンロータ等が図示しないクレーンでメンテナンス作業時の所定位置に吊り上げられ、作業員により点検、補修、部品交換といったメンテナンス作業が実施される。
【００４７】
ガスタービン１のメンテナンス作業が終了すると、図示しないクレーンによりガスタービン１のタービンロータ等が運転時の所定位置に吊り降ろされ、再びケーシングが取り付けられる。その後、天井部１３が、回動基点部１５１、１５２でガスタービン１に近づく方向に回動されて、ガスタービン１の上方が閉鎖される（閉鎖ステップ）。本実施形態では、回動基点部１５１すなわちヒンジ１１３で、上側壁部１１２をガスタービン１に近づく方向に回動させる。また、回動基点部１５２すなわちヒンジ１２３で、上側壁部１２２をガスタービン１に近づく方向に回動させる。これにより、上側壁部１１２と共に第一天井部１３１がガスタービン１に近づく方向に回動され、上側壁部１２２と共に第二天井部１３２がガスタービン１に近づく方向に回動される。その結果、図１に示すように、第一天井部１３１の他端部１３１ｂと第二天井部１３２の他端部１３２ｂとが当接し、ガスタービン１の上方が天井部１３により閉鎖される。このとき、第二の柱部７が第一天井部１３１及び第二天井部１３２と当接し、第一天井部１３１及び第二天井部１３２が支持される。
【００４８】
次に、接続解除部１４で解除されていた第一壁部１１、第二壁部１２及び天井部１３の接続の一部が再接続される（再接続ステップ）。本実施形態では、接続解除部１４で、第一天井部１３１と第二天井部１３２とが再接続される。それにより、エンクロージャ１０Ａによりガスタービン１の周囲が覆われる。その後、第一天井部１３１と第二天井部１３２との接続部に、再び封止部材１６が設けられる。
【００４９】
以上説明したように、第一実施形態にかかるエンクロージャ１０Ａは、ガスタービン１のメンテナンス作業時に、接続解除部１４で第一壁部１１、第二壁部１２及び天井部１３の接続の一部を解除し、回動基点部１５１、１５２で天井部１３をガスタービン１から離れる方向に回動させることで、天井部１３を第一壁部１１及び第二壁部１２から完全に切り離すことなく、ガスタービン１の上方から移動させることができる。また、ガスタービン１のメンテナンス作業の終了後、回動基点部１５１、１５２で天井部１３をガスタービン１に近づく方向に回動させ、接続解除部１４で解除されていた第一壁部１１、第二壁部１２及び天井部１３の接続の一部を再接続し、エンクロージャ１０Ａによりガスタービン１の周囲を覆うことができる。従って、第一実施形態にかかるエンクロージャ１０Ａは、ガスタービン１のメンテナンス作業時に、他のスペースを圧迫することなく、かつ、容易にガスタービン１の上方を開閉することができる。
【００５０】
また、第一壁部１１は、下側壁部１１１と、下側壁部１１１に回動自在に接続された上側壁部１１２とを有し、第二壁部１２は、下側壁部１２１と、下側壁部１２１に回動自在に接続された上側壁部１２２とを有し、天井部１３は、第一壁部１１の上側壁部１１２に接続された第一天井部１３１と、第二壁部１２の上側壁部１２２に接続された第二天井部１３２とを有し、第一天井部１３１と第二天井部１３２とは、着脱自在に接続され、接続解除部１４は、第一天井部１３１と第二天井部１３２との接続部であり、回動基点部１５１は、下側壁部１１１と上側壁部１１２との接続部であり、回動基点部１５２は、下側壁部１２１と上側壁部１２２との接続部である。
【００５１】
この構成によれば、第一天井部１３１と第二天井部１３２とを分離させることで、第一天井部１３１と第二壁部１２との接続及び第二天井部１３２と第一壁部１１との接続を解除することができる。また、第一天井部１３１と第二天井部１３２とが分離した状態で、第一壁部１１の上側壁部１１２を下側壁部１１１に対して回動させることで、第一天井部１３１を第一壁部１１の上側壁部１１２と共にガスタービン１から離れる方向に回動させることができる。また、第二壁部１２の上側壁部１２２を下側壁部１２１に対して回動させることで、第二天井部１３２を第二壁部１２の上側壁部１２２と共にガスタービン１から離れる方向に回動させることができる。その結果、第一天井部１３１を第一壁部１１から、第二天井部１３２を第二壁部１２から切り離すことなく、ガスタービン１の上方から移動させることができる。
【００５２】
[第二実施形態]
次に、第二実施形態にかかる回転機械用エンクロージャ１０Ｂについて説明する。図４は、第二実施形態にかかる回転機械用エンクロージャを示す概略図であり、図５は、第二実施形態にかかる回転機械用エンクロージャの天井部を開放する様子を示す概略図であり、図６は、第二実施形態にかかる回転機械用エンクロージャの天井部を開放した状態を示す概略図である。
【００５３】
回転機械用エンクロージャ１０Ｂ（以下、「エンクロージャ１０Ｂ」と称する。）は、第一実施形態と同様に、回転機械としてのガスタービン１を覆う外衣設備である。エンクロージャ１０Ｂは、第一実施形態にかかるエンクロージャ１０Ｂの第一壁部１１に代えて第一壁部１１０を、天井部１３に代えて天井部１３０を備える。エンクロージャ１０Ｂの他の構成は、第一実施形態にかかるエンクロージャ１０Ａと同様であるため、説明を省略し、同一の構成要素には、同一の符号を付す。
【００５４】
第一壁部１１０は、ガスタービン１の軸方向に沿った一方の側方を覆う。第一壁部１１０は、ガスタービン１が固定される基部２に図示しない締結具によって固定される。第一壁部１１０は、基部２から鉛直方向上側に延びる。第一壁部１１０は、例えば、鋼板と、鋼板を補強するフレームとを有する。
【００５５】
天井部１３０は、第一実施形態の天井部１３と同様に、第一天井部１３１と、第二天井部１３２とを有する。また、天井部１３０は、ヒンジ１３３を有する。本実施形態において、第一天井部１３１は、一端部１３１ａで第一壁部１１０の上端に着脱自在に接続される。また、第二天井部１３２は、一端部１３２ａで第二壁部１２の上側壁部１２２の上端に接続される。本実施形態において、第一天井部１３１と第二天井部１３２とは、互いの他端部１３１ｂ、１３２ｂで、ヒンジ１３３によって回動自在に接続されている。ヒンジ１３３は、ガスタービン１の軸方向において互いに間隔を空けつつ、水平方向において並んで複数設けられている。ヒンジ１３３は、強度を保つことさえできれば、少なくとも一つ設けられればよい。なお、第一天井部１３１の第二天井部１３２に対する回動を阻害しないものあれば、互いに当接する第一天井部１３１の他端部１３１ｂと第二天井部１３２の他端部１３２ｂとの間に封止部材が設けられてもよい。また、第一天井部１３１と第二天井部１３２とは、他端部１３１ｂ、１３２ｂにおいて、互いに鉛直方向上下に重なりあう部分を有してもよい。
【００５６】
本実施形態において、第一天井部１３１と第一壁部１１０との接続部は、第一壁部１１０、第二壁部１２及び天井部１３０の接続の一部を解除可能な接続解除部１４である。本実施形態において、第二壁部１２の下側壁部１２１と上側壁部１２２との接続部であるヒンジ１２３は、第一実施形態と同様に、接続解除部１４で接続が解除された天井部１３０を、ガスタービン１に対して回動させる基点となる回動基点部１５２である。
【００５７】
次に、ガスタービン１のメンテナンス作業時に、第二実施形態にかかるエンクロージャ１０Ｂの天井部１３０を開閉する手順について説明する。天井部１３０の開放時には、接続解除部１４で、第一壁部１１０、第二壁部１２及び天井部１３０の接続の一部が解除される（接続解除ステップ）。本実施形態では、接続解除部１４で、第一天井部１３１と第一壁部１１０との接続が解除される。
【００５８】
次に、接続解除部１４で上記接続の一部が解除された天井部１３０が、回動基点部１５２でガスタービン１から離れる方向に回動され、ガスタービン１の上方が開放される（開放ステップ）。まず、接続解除部１４で上記接続の一部が解除された第一天井部１３１が、ヒンジ１３３を基点として、図５に実線矢印で示す方向に第二天井部１３２に対して回動される。それにより、図６に破線で示すように、天井部１３０が折りたたまれる。次に、回動基点部１５２すなわちヒンジ１２３で、上側壁部１２２がガスタービン１から離れる方向に回動される。これにより、図６に実線矢印で示すように、上側壁部１２２と共に天井部１３０全体がガスタービン１から離れる方向に回動される。その結果、図６に示すように、ガスタービン１の上方が開放される。
【００５９】
上側壁部１２２は、第一実施形態と同様に、ヒンジ１２３によって水平方向に沿った位置で固定される。つまり、上側壁部１２２は、回動基点部１５２を基点として水平方向に沿った位置まで回動する。それにより、上側壁部１２２は、ガスタービン１のメンテナンス作業において作業員が足場として利用可能な歩廊の一部となる。また、上側壁部１２２は、水平方向に沿った位置で固定された状態において、外部配管領域３の近傍に設けられた各第一の柱部４の上端部に当接し、各第一の柱部４により支持される。
【００６０】
その後、第一実施形態と同様に、作業員によりガスタービン１のメンテナンス作業が実施される。ガスタービン１のメンテナンス作業が終了すると、天井部１３０が、回動基点部１５２でガスタービン１に近づく方向に回動されて、ガスタービン１の上方が閉鎖される（閉鎖ステップ）。本実施形態では、回動基点部１５２すなわちヒンジ１２３で、上側壁部１２２をガスタービン１に近づく方向に回動させる。これにより、図６に破線で示すように、上側壁部１２２と共に天井部１３０がガスタービン１に近づく方向に回動される。このとき、第二の柱部７が第二天井部１３２と当接し、第二天井部１３２が支持される。次に、第一天井部１３１が、ヒンジ１３３を基点として、図５の実線矢印と反対方向に第二天井部１３２に対して回動され、天井部１３０の折りたたみが解除され、図４に示すように、ガスタービン１の上方が閉鎖される。
【００６１】
次に、接続解除部１４で解除されていた第一壁部１１０、第二壁部１２及び天井部１３０の接続の一部が再接続される（再接続ステップ）。本実施形態では、接続解除部１４で、第一天井部１３１と第一壁部１１０とが再接続される。それにより、エンクロージャ１０Ｂによりガスタービン１の周囲が覆われる。
【００６２】
以上説明したように、第二実施形態にかかるエンクロージャ１０Ｂは、第一実施形態にかかるエンクロージャ１０Ａと同様に、ガスタービン１のメンテナンス作業時に、他のスペースを圧迫することなく、かつ、容易にガスタービン１の上方を開閉することができる。
【００６３】
また、第二壁部１２は、下側壁部１２１と、下側壁部１２１に回動自在に接続された上側壁部１２２とを有し、天井部１３０は、第一壁部１１０に着脱自在に接続されると共に、第二壁部１２の上側壁部１２２に接続され、接続解除部１４は、第一壁部１１０と天井部１３０との接続部であり、回動基点部１５２は、第二壁部１２の下側壁部１２１と第二壁部１２の上側壁部１２２との接続部である。
【００６４】
この構成によれば、天井部１３０と第一壁部１１０との接続を解除し、第二壁部１２の上側壁部１２２を下側壁部１２１に対して回動させることで、天井部１３０を第二壁部１２の上側壁部１２２と共にガスタービン１から離れる方向に回動させることができる。その結果、天井部１３０を第二壁部１２から切り離すことなく、ガスタービン１の上方から移動させることができる。また、天井部１３０を第二壁部１２側だけで回動させることにより、第一壁部１１０の側方に他の設備がある場合、天井部１３０と他の設備とが干渉することを防止することができる。
【００６５】
また、天井部１３０は、第一壁部１１０に着脱自在に接続された第一天井部１３１と、第二壁部１２の上側壁部１２２に接続された第二天井部１３２とを有し、第一天井部１３１と第二天井部１３２とは、回動自在に接続される。
【００６６】
この構成によれば、第一天井部１３１と第二天井部１３２とを互いに回動させることによって、天井部１３０全体を折りたたむことができる。その結果、上側壁部１２２と共に回動する天井部１３０の長さを短縮し、天井部１３０が他の設備と干渉することを抑制することができる。また、回動する部材全体の重量バランスを整えることができる。なお、天井部１３０が他の設備と干渉する可能性がなく、回動する部材全体の重量バランスを整えることさえできれば、天井部１３０は、第一天井部１３１と第二天井部１３２とが一体に形成されてもよい。
【００６７】
[第三実施形態]
次に、第三実施形態にかかる回転機械用エンクロージャ１０Ｃについて説明する。図７は、第三実施形態にかかる回転機械用エンクロージャを示す概略図であり、図８は、第三実施形態にかかる回転機械用エンクロージャの天井部を開放した状態を示す概略図である。
【００６８】
回転機械用エンクロージャ１０Ｃ（以下、「エンクロージャ１０Ｃ」と称する。）は、第一実施形態及び第二実施形態と同様に、回転機械としてのガスタービン１を覆う外衣設備である。エンクロージャ１０Ｃは、第一実施形態にかかるエンクロージャ１０Ａの第一壁部１１に代えて、第二実施形態にかかる第一壁部１１０を、第二壁部１２に代えて第二壁部１２０を備える。エンクロージャ１０Ｃの他の構成は、第一実施形態にかかるエンクロージャ１０Ａと同様であるため、説明を省略し、同一の構成要素には、同一の符号を付す。
【００６９】
第二壁部１２０は、ガスタービン１を挟んで第一壁部１１０と対向して配置される。第二壁部１２０は、ガスタービン１の軸方向に沿った他方の側方を覆う。第二壁部１２０は、ガスタービン１が固定される基部２に図示しない締結具によって固定される。第二壁部１２０は、例えば、鋼板と、鋼板を補強するフレームとを有する。
【００７０】
本実施形態において、天井部１３の第一天井部１３１は、一端部１３１ａで第一壁部１１０の上端に、ヒンジ１７によって回動自在に接続されている。ヒンジ１７は、ガスタービン１の軸方向において互いに間隔を空けつつ、水平方向において並んで複数設けられている。また、天井部１３の第二天井部１３２は、一端部１３２ａで第二壁部１２０の上端に、ヒンジ１８によって回動自在に接続されている。ヒンジ１８は、ガスタービン１の軸方向において互いに間隔を空けつつ、水平方向において並んで複数設けられている。ヒンジ１７、１８は、強度を保つことさえできれば、少なくとも一つずつ設けられればよい。
【００７１】
本実施形態において、第一天井部１３１と第二天井部１３２との接続部は、第一壁部１１０、第二壁部１２０及び天井部１３の接続の一部を解除可能な接続解除部１４である。本実施形態において、第一天井部１３１と第一壁部１１０との接続部であるヒンジ１７は、接続解除部１４で接続が解除された天井部１３を、ガスタービン１に対して回動させる基点となる回動基点部１５１である。また、第二天井部１３２と第二壁部１２０との接続部であるヒンジ１８は、接続解除部１４で接続が解除された天井部１３を、ガスタービン１に対して回動させる基点となる回動基点部１５２である。
【００７２】
回動基点部１５１（ヒンジ１７）及び回動基点部１５２（ヒンジ１８）は、外部配管領域３よりも鉛直方向上側に設けられる。また、本実施形態において、外部配管領域３の近傍に設けられた第一の柱部４は、第一実施形態及び第二実施形態よりも鉛直方向上側まで延びる。第一の柱部４は、図８に示すように、天井部１３の開放時において、第一天井部１３１、第二天井部１３２に当接し、第一天井部１３１、第二天井部１３２を支持する支持部材としても機能する。
【００７３】
次に、ガスタービン１のメンテナンス作業時に、第三実施形態にかかるエンクロージャ１０Ｃの天井部１３を開閉する手順について説明する。天井部１３の開放時には、接続解除部１４で、第一壁部１１０、第二壁部１２０及び天井部１３の接続の一部が解除される（接続解除ステップ）。本実施形態では、まず、第一天井部１３１と第二天井部１３２との接続部に設けられた封止部材１６が除去される。次に、接続解除部１４、すなわち第一天井部１３１と第二天井部１３２との接続部で、第一天井部１３１と第二天井部１３２との接続が解除される。
【００７４】
次に、図８に示すように、接続解除部１４で上記接続の一部が解除された天井部１３が、回動基点部１５１、１５２でガスタービン１から離れる方向に回動され、ガスタービン１の上方が開放される（開放ステップ）。本実施形態では、図８に実線矢印で示すように、回動基点部１５１すなわちヒンジ１７で、第一天井部１３１がガスタービン１から離れる方向に回動される。また、本実施形態では、図８に実線矢印で示すように、回動基点部１５２すなわちヒンジ１８で、第二天井部１３２がガスタービン１から離れる方向に回動される。その結果、図８に示すように、ガスタービン１の上方が開放される。回動した第一天井部１３１、第二天井部１３２は、図８に示すように、外部配管領域３の近傍に設けられた各第一の柱部４の上端部に当接し、各第一の柱部４により支持される。
【００７５】
その後、第一実施形態と同様に、作業員によりガスタービン１のメンテナンス作業が実施される。ガスタービン１のメンテナンス作業が終了すると、天井部１３が、回動基点部１５１、１５２でガスタービン１に近づく方向に回動されて、ガスタービン１の上方が閉鎖される（閉鎖ステップ）。本実施形態では、回動基点部１５１すなわちヒンジ１７で、第一天井部１３１をガスタービン１に近づく方向に回動させる。また、回動基点部１５２すなわちヒンジ１８で、第二天井部１３２をガスタービン１に近づく方向に回動させる。その結果、図７に示すように、第一天井部１３１の他端部１３１ｂと第二天井部１３２の他端部１３２ｂとが当接し、ガスタービン１の上方が天井部１３により閉鎖される。このとき、第二の柱部７が第一天井部１３１及び第二天井部１３２と当接し、第一天井部１３１及び第二天井部１３２が支持される。
【００７６】
次に、接続解除部１４で解除されていた第一壁部１１０、第二壁部１２０及び天井部１３の接続の一部が再接続される（再接続ステップ）。本実施形態では、接続解除部１４で、第一天井部１３１と第二天井部１３２とが再接続される。それにより、エンクロージャ１０Ｃによりガスタービン１の周囲が覆われる。その後、第一天井部１３１と第二天井部１３２との接続部に、再び封止部材１６が設けられる。
【００７７】
以上説明したように、第三実施形態にかかるエンクロージャ１０Ｃは、第一実施形態にかかるエンクロージャ１０Ａと同様に、ガスタービン１のメンテナンス作業時に、他のスペースを圧迫することなく、かつ、容易にガスタービン１の上方を開閉することができる。
【００７８】
[第四実施形態]
次に、第四実施形態にかかる回転機械用エンクロージャ１０Ｄについて説明する。図９は、第四実施形態にかかる回転機械用エンクロージャを示す概略図であり、図１０は、第四実施形態にかかる回転機械用エンクロージャの天井部を開放する様子を示す概略図であり、図１１は、第四実施形態にかかる回転機械用エンクロージャの天井部を開放した状態を示す概略図である。
【００７９】
回転機械用エンクロージャ１０Ｄ（以下、「エンクロージャ１０Ｄ」と称する。）は、第一実施形態から第三実施形態と同様に、回転機械としてのガスタービン１を覆う外衣設備である。エンクロージャ１０Ｄは、第三実施形態にかかるエンクロージャ１０Ｃの天井部１３に代えて、第二実施形態にかかる天井部１３０を備える。エンクロージャ１０Ｄの他の構成は、第三実施形態にかかるエンクロージャ１０Ｃと同様であるため、説明を省略し、同一の構成要素には、同一の符号を付す。
【００８０】
第四実施形態において、天井部１３０の第一天井部１３１は、第一壁部１１０に着脱自在に接続される。また、天井部１３０の第二天井部１３２は、ヒンジ１８によって第二壁部１２０に回転自在に接続される。ヒンジ１８は、ガスタービン１の軸方向において互いに間隔を空けつつ、水平方向において並んで複数設けられている。ヒンジ１８は、強度を保つことさえできれば、少なくとも一つ設けられればよい。
【００８１】
本実施形態において、第一天井部１３１と第一壁部１１０との接続部は、第一壁部１１０、第二壁部１２０及び天井部１３０の接続の一部を解除可能な接続解除部１４である。また、第二天井部１３２と第二壁部１２０との接続部であるヒンジ１８は、接続解除部１４で接続が解除された天井部１３０を、ガスタービン１に対して回動させる基点となる回動基点部１５２である。回動基点部１５２は、外部配管領域３よりも鉛直方向上側に設けられる。
【００８２】
次に、ガスタービン１のメンテナンス作業時に、第四実施形態にかかるエンクロージャ１０Ｄの天井部１３０を開閉する手順について説明する。天井部１３０の開放時には、接続解除部１４で、第一壁部１１０、第二壁部１２０及び天井部１３０の接続の一部が解除される（接続解除ステップ）。本実施形態では、接続解除部１４で、第一天井部１３１と第一壁部１１０との接続が解除される。
【００８３】
次に、接続解除部１４で上記接続の一部が解除された天井部１３０が、回動基点部１５２でガスタービン１から離れる方向に回動され、ガスタービン１の上方が開放される（開放ステップ）。本実施形態では、接続解除部１４で上記接続の一部が解除された第一天井部１３１が、ヒンジ１３３を基点として、図１０に実線矢印で示す方向に第二天井部１３２に対して回動される。それにより、図１１に破線で示すように、天井部１３０が折りたたまれる。次に、図１１に実線矢印で示すように、回動基点部１５２すなわちヒンジ１８で、第二天井部１３２がガスタービン１から離れる方向に回動される。その結果、図１１に示すように、ガスタービン１の上方が開放される。回動した天井部１３０は、図１１に示すように、外部配管領域３の近傍に設けられた各第一の柱部４の上端部に当接し、各第一の柱部４により支持される。
【００８４】
その後、第一実施形態と同様に、作業員によりガスタービン１のメンテナンス作業が実施される。ガスタービン１のメンテナンス作業が終了すると、天井部１３０が、回動基点部１５２でガスタービン１に近づく方向に回動されて、ガスタービン１の上方が閉鎖される（閉鎖ステップ）。本実施形態では、回動基点部１５２すなわちヒンジ１８で、第二天井部１３２をガスタービン１に近づく方向に回動させる。このとき、第二の柱部７が第二天井部１３２と当接し、第二天井部１３２が支持される。次に、第一天井部１３１が、ヒンジ１３３を基点として、図１０の実線矢印と反対方向に第二天井部１３２に対して回動され、天井部１３０の折りたたみが解除され、図９に示すように、ガスタービン１の上方が閉鎖される。
【００８５】
次に、接続解除部１４で解除されていた第一壁部１１０、第二壁部１２０及び天井部１３０の接続の一部が再接続される（再接続ステップ）。本実施形態では、接続解除部１４で、第一天井部１３１と第一壁部１１０とが再接続される。
【００８６】
以上説明したように、第四実施形態にかかるエンクロージャ１０Ｄは、第一実施形態にかかるエンクロージャ１０Ａと同様に、ガスタービン１のメンテナンス作業時に、他のスペースを圧迫することなく、かつ、容易にガスタービン１の上方を開閉することができる。
【００８７】
第一実施形態、第二実施形態において、上側壁部１１２、１２２は、回動基点部１５１、１５２を基点として水平方向に沿った位置まで回動する。
【００８８】
この構成によれば、回動基点部１５１、１５２を基点として回動した上側壁部１１２、１２２を、作業者がガスタービン１のメンテナンス作業時に歩行可能な歩廊として用いることができる。従って、ガスタービン１の周囲に歩廊を別に設ける必要がなくなり、設備の簡易化を図ることができる。また、ガスタービン１の周囲に歩廊を設けないことにより、エンクロージャ１０Ａ、１０Ｂの小型化を図ることができる。なお、上側壁部１１２、１２２とは別に、メンテナンス作業時に歩行可能な歩廊をガスタービン１の周囲に設けても良い。その場合、上側壁部１１２、１２２は、水平方向に沿った位置で固定されるものでなくてもよい。
【００８９】
第一実施形態から第四実施形態において、第一壁部１１、１１０及び第二壁部１２、１２０のガスタービン１とは反対側の側方の少なくともいずれか一方は、複数の外部配管が配置された外部配管領域３であり、回動基点部１５１、１５２は、外部配管領域３よりも鉛直方向上側に設けられる。
【００９０】
この構成によれば、回動基点部１５１、１５２を基点として回動する部材が、外部配管と干渉することを抑制することができる。「回動基点部１５１、１５２を基点として回動する部材」は、第一実施形態では、上側壁部１１２及び第一天井部１３１、並びに上側壁部１２２及び第二天井部１３２であり、第二実施形態では、上側壁部１２２及び天井部１３０であり、第三実施形態では、第一天井部１３１及び第二天井部１３２であり、第四実施形態では、天井部１３０である。
【００９１】
また、第一実施形態から第四実施形態において、複数の外部配管は、第一の柱部４により支持されており、第一の柱部４は、回動基点部１５１、１５２を基点として回動する部材を支持する。
【００９２】
この構成によれば、回動基点部１５１、１５２を基点として回動する部材を、第一の柱部４によって安定的に支持することができる。また、複数の外部配管を支持する第一の柱部４を支持部材として兼用することで、部品点数の増加を抑制することができる。なお、複数の外部配管を支持する第一の柱部４とは別に、回動基点部１５１、１５２を基点として回動する部材を支持する支持部材を設けてもよい。
【００９３】
また、第一実施形態及び第三実施形態において、第一天井部１３１と第二天井部１３２との接続部には、封止部材１６が設けられる。
【００９４】
この構成によれば、第一天井部１３１と第二天井部１３２との接続部を介して、エンクロージャ１０Ａ、１０Ｃの内部に水滴、塵等が侵入することを抑制することができる。また、エンクロージャ１０Ａ、１０Ｃの内部で使用される気体（消火装置６により使用される消火用の炭酸ガス）等が外部に漏れだすことを抑制することができる。なお、封止部材１６は、第一天井部１３１と第二天井部１３２との接続部を良好に封止でき、第一天井部１３１と第二天井部１３２との接続の解除を阻害するものでさえなければ、いかなるものであってもよく、いかなる位置に設けられてもよい。また、上述したように、第二実施形態及び第四実施形態において、第一天井部１３１の第二天井部１３２に対する回動を阻害しないものあれば、互いに当接する第一天井部１３１の他端部１３１ｂと第二天井部１３２の他端部１３２ｂとの間に封止部材が設けられてもよい。
【００９５】
また、第一実施形態から第四実施形態において、第一壁部１１、１１０及び第二壁部１２、１２０のガスタービン１側の側方は、複数の内部配管が配置され、複数の内部配管は、第二の柱部７により支持されており、第二の柱部７は、回動基点部１５１、１５２を基点として回動する部材を支持する。
【００９６】
この構成によれば、回動基点部１５１、１５２を基点として回動する部材を、第二の柱部７によって安定的に支持することができる。また、内部配管を支持する第二の柱部７を支持部材として兼用することで、部品点数の増加を抑制することができる。なお、第一実施形態及び第二実施形態において、第二の柱部７は、上側壁部１１２、１２２に着脱自在に接続されるものであってもよい。それにより、回動基点部１５１、１５２を基点として回動する部材を第二の柱部７によって支持することができる。また、内部配管を支持する第二の柱部７とは別に、回動基点部１５１、１５２を基点として回動する部材を支持する支持部材を設けてもよい。
【００９７】
第一実施形態から第四実施形態において、エンクロージャ１０Ａ、１０Ｂ、１０Ｃ、１０Ｄは、ガスタービン１のメンテナンス作業において、天井部１３、１３０を他のスペースとの間で搬送する手間を省略することができるため、全体としてメンテナンス作業時間の短縮を図ることができる。従って、ガスタービン１の停止時間の短縮を図ることができる。
【００９８】
第一実施形態から第四実施形態において、エンクロージャ１０Ａ、１０Ｂ、１０Ｃ、１０Ｄは、ヒンジを用いた簡易な構造で回動基点部１５１、１５２を形成することができる。また、従来から設けられている外部配管、内部配管を支持するための第一の柱部４、第二の柱部７を、回動基点部１５１、１５２を基点として回動する部材を支持する支持部材として利用することができる。従って、従来のエンクロージャ設備を改造して、容易にエンクロージャ１０Ａ、１０Ｂ、１０Ｃ、１０Ｄを形成することができる。
【００９９】
第三実施形態、第四実施形態において、ガスタービン１の上方から移動した天井部１３、天井部１３０をガスタービン１のメンテナンス作業において作業員が足場として利用可能な歩廊として用いてもよい。また、天井部１３、天井部１３０とは別に、ガスタービン１の周囲に作業員の歩廊を設けてもよい。
【０１００】
また、第一実施形態から第四実施形態において、エンクロージャ１０Ａ、１０Ｂ、１０Ｃまたは１０Ｄにより覆われる回転機械は、ガスタービン１に限られず、例えば蒸気タービンであってもよい。また、回転機械は、発電機等であってもよい。
【符号の説明】
【０１０１】
１  ガスタービン
２  基部
３  外部配管領域
４  第一の柱部
５  内部配管領域
６  消火装置
６ａ  ノズル
７  第二の柱部
８  歩廊
１０Ａ，１０Ｂ，１０Ｃ，１０Ｄ  回転機械用エンクロージャ
１１，１１０  第一壁部
１１１  下側壁部
１１２  上側壁部
１１３  ヒンジ
１２，１２０  第二壁部
１２１  下側壁部
１２２  上側壁部
１２３  ヒンジ
１３，１３０  天井部
１３１  第一天井部
１３１ａ  一端部
１３１ｂ  他端部
１３２  第二天井部
１３２ａ  一端部
１３２ｂ  他端部
１３３  ヒンジ
１４  接続解除部
１５１，１５２  回動基点部
１６  封止部材
１７，１８  ヒンジ
【図１】
2019015187.tif 000003
【図２】
2019015187.tif 000004
【図３】
2019015187.tif 000005
【図４】
2019015187.tif 000006
【図５】
2019015187.tif 000007
【図６】
2019015187.tif 000008
【図７】
2019015187.tif 000009
【図８】
2019015187.tif 000010
【図９】
2019015187.tif 000011
【図１０】
2019015187.tif 000012
【図１１】
2019015187.tif 000013